(57)【特許請求の範囲】
【請求項１】
室内ユニットのランプ表示部品類及びそれと一体にできない表示部品や受光部品のそれぞれの保持部が一体成形され、各保持部がヒンジにより接続されていると共に、前記保持部が箱状に形成され、前記保持部にヒンジ接続による一体成形の蓋が開閉可能に設けられていることを特徴とする空気調和装置の室内ユニット。
【請求項２】
室内ユニットのランプ表示部品類及びそれと一体にできない表示部品や受光部品のそれぞれの保持部が個別に別体成形され、各保持部がヒンジにより接続されていると共に、前記保持部が箱状に形成され、前記保持部にヒンジ接続による一体成形の蓋が開閉可能に設けられていることを特徴とする空気調和装置の室内ユニット。
【請求項３】
室内ユニットに設けられる電子制御基板に端子台が直付けされていると共に、前記端子台が前記室内ユニットに設けられる電気部品箱に固定されていることを特徴とする請求項１又は２に記載の空気調和装置の室内ユニット。
【請求項４】
前記端子台の端子が前記電子制御基板にハンダ付けされ、このハンダ付けによって前記端子台と前記電子制御基板とが配線されていることを特徴とする請求項３に記載の空気調和装置の室内ユニット。
【発明の詳細な説明】
【０００１】
【発明の属する技術分野】
この発明は、空気調和装置に関し、特に室内に設置される空気調和装置の室内ユニットに関するものである。
【０００２】
【従来の技術】
図１６、図１７は室内ユニットの従来例を示している。図１６、図１７において、１は室内ユニットを、２は前面ケースを、３は空気吸込口を、８１は後面ケースを、８２は前面ケース２に設けられた表示部窓を、８３は発光部品を、８４は前面ケース２の非意匠面に設けられた室温検知用通風孔を、８５は表示基板を、２０１は表示基板８５の信号電線を、８６は表示基板８５の保持部材を、８７はリモコン受信用受光基板を、２０２はリモコン受信用受光基板８７の信号電線を、８８はリモコン受信用受光基板８７の保持部材を、８９はリモコン受信用受光部のカバーを、９０は電気部品箱を、９１は室温検知部品を、２００は室温検知部品９１の信号電線を、９２は室温検知部品９１の保持部材を、９３は保持部材９２に設けられたリブを各々示している。
【０００３】
この室内ユニット１は、後面ケース８１と前面ケース２とによって構成され、前面ケース２の内面に表示基板８５、リモコン受信用受光基板８７、室温検知部品９１がそれぞれ個別の保持部材８６、８８、９２によって固定される。
【０００４】
この室内ユニット１では、空気吸込口３及び前面ケース２に明けられた室温検知用通風孔８４を通って吸い込まれた空気が、室温検知部品９１の保持部材９２のリブ９３によって画定された通気路を通って室温検知部品９１をなめるように通過することにより、室温検知部品９１によって室温検知が行われる。
【０００５】
【発明が解決しようとする課題】
従来例の室内ユニットでは、表示、リモコン受信用受光部品ならびに室温検知部が個別に固定され、またそれぞれの部品は、外部意匠曲面に合わせ、リモコン受信用受光部品等はその受光角度に合わせて適切な角度をとるため、それらの保持部材もしくはその固定部の形状が特異な角度を有する必要があった。
【０００６】
従って、それらの保持部材は、基板部品の前面もしくは後面のみを覆う形を取らざるを得ないため、露垂れなどの考慮が必要な場合、他部品もしくは保持部材を固定する側の部品にて覆いを追加するなどの必要が生じる。さらに、単品自体のコストに加え、制御基板上に接続した電線の取り回し等の作業費がかかり、作業上及びコスト上での課題があった。
【０００７】
また電気部品箱の蓋、内外接続線の固定、運転スイッチのスイッチボタンなどはそれぞれ別体であったため、３部品が必要であり、また、端子台と電子制御基板も別体で、リード線で接続するため、リード線とこれらを取付ける作業スペースが必要となる。
【０００８】
本発明は、従来の室内ユニットに於ける上述の如き問題点に着目してなされたものであり、部品点数の削減を図ることのできる空気調和装置の室内ユニットを得ることを目的としている。
【０００９】
【課題を解決するための手段】
上述の目的を達成するために、この発明による空気調和装置の室内ユニットは、室内ユニットのランプ表示部品類及びそれと一体にできない表示部品や受光部品のそれぞれの保持部が一体成形され、各保持部がヒンジにより接続されていると共に、前記保持部が箱状に形成され、前記保持部にヒンジ接続による一体成形の蓋が開閉可能に設けられていることを特徴とする。
【００１０】
この発明による空気調和装置の室内ユニットでは、室内ユニットのランプ表示部品類や受光部品の保持部が一体成形され、部品点数が削減されると共に、部品点数を増やすことなく保持部が密閉形になる。
【００１１】
つぎの発明による空気調和装置の室内ユニットは、室内ユニットのランプ表示部品類及びそれと一体にできない表示部品や受光部品のそれぞれの保持部が個別に別体成形され、各保持部がヒンジにより接続されていると共に、前記保持部が箱状に形成され、前記保持部にヒンジ接続による一体成形の蓋が開閉可能に設けられていることを特徴とする。
【００１２】
この発明による空気調和装置の室内ユニットでは、部品点数を増やすことなく保持部が密閉形になるばかりでなく、室内ユニットのランプ表示部品類及びそれと一体にできない表示部品や受光部品のそれぞれの保持部が個別に別体成形され、各保持部がヒンジにより接続されているから、室内ユニットの組み付け性が向上すると共に、各保持部の組み合せが自由になる。
【００１３】
つぎの発明による空気調和装置の室内ユニットは、室内ユニットに設けられる電子制御基板に端子台が直付けされていると共に、前記端子台が前記室内ユニットに設けられる電気部品箱に固定されていることを特徴とする。
【００１４】
この発明による空気調和装置の室内ユニットでは、電子制御基板に端子台が直付けされ、端子台と前記電子制御基板との配線が外部リード線を必要とすることなく行われると共に、電子制御基板に取り付けられた端子台が電気部品箱に固定されると同時に電子制御基板も電気部品箱に固定される。
【００１５】
つぎの発明による空気調和装置の室内ユニットは、上記の発明において、前記端子台の端子が前記電子制御基板にハンダ付けされ、このハンダ付けによって前記端子台と前記電子制御基板とが配線されていることを特徴とする。
【００１６】
この発明による空気調和装置の室内ユニットでは、端子台と前記電子制御基板との配線がハンダ付けによって外部リード線を必要とすることなく行われる。
【００１７】
【発明の実施の形態】
実施の形態１.
図１〜図３はこの発明による室内ユニットにおける電装部品取付構造の実施の形態を示している。
【００１８】
表示基板８５には発光部品（ＬＥＤ）８３と信号線接続部（コネクタ）２０３とが配置される。リモコン受信用受光基板８７にはリモコン受信用受光部品２０４と表示用もしくはリモコンへの発信用発光部品（ＬＥＤ）２０５と信号線接続部品（コネクタ）２０６とが配置される。
【００１９】
基板収納箱９５はヒンジ部９６により折曲げ可能に相互に接続された表示基板保持部９５ａと受光基板保持部９５ｂとを有している。表示基板保持部９５ａには、表示基板８５の固定爪９４ａと、発光部品８３が挿入される筒部２１２と、ヒンジ部２０７によって開閉される蓋９７と、蓋固定爪９９とが形成されている。また受光基板保持部９５ｂには、リモコン受信用受光基板８７の固定爪９４ｂと、リモコン受信用受光部品２０４がはまる開口部２１３と、表示用もしくはリモコンへの発信用発光部品２０５が挿入される筒部２１４と、ヒンジ部２０８によって開閉される蓋９８と、蓋固定爪２１０とが形成されている。
【００２０】
また表示基板保持部９５ａと受光基板保持部９５ｂには相互に係合する係合片１００、１０１が形成されている。係合片１００と１０１は、図２に示されているように、ヒンジ部９６を折曲げ線として、受光基板保持部９５ｂを表示基板保持部９５ａに対し、発光部品８３の外部よりの視認性及びリモコン受信用受光部品２０４の受光角度を考慮し、かつ外意匠面の曲線に合わせた適切な角度に折り曲げた時、直交状態で引掛かり、その折り曲げ状態を維持する。
【００２１】
以上のように構成された電装部分取付構造では、表示基板８５およびリモコン受信用受光基板８７はそれぞれの表示基板保持部９５ａ、受光基板保持部９５ｂ内に押し込まれ、固定爪９４ａ、９４ｂによって固定される。
【００２２】
これにより室内ユニットのランプ表示部品類や受光部品の保持部が基板収納箱９５をもって一体成形され、部品点数が削減される。
【００２３】
また、表示基板保持部９５ａ、受光基板保持部９５ｂの各々の蓋９７、９８は、ヒンジ部２０７、２０８を折曲げ線として折曲げられることにより閉じられ、それぞれの蓋９７、９８の先端に形成された引掛け部２０９、２１１が蓋固定爪９９、２１０に引掛かることにより固定され、表示基板保持部９５ａ、受光基板保持部９５ｂは各々密閉箱状をなす。これにより露垂れ等に対する保護がなされ、内部に取り付けられる基板類の保護を確実に行うことができる。
【００２４】
図２、図３に示されているように、受光基板保持部９５ｂは表示基板保持部９５ａに対してヒンジ部９６を折曲げ線として前面ケース２の内面形状等により定まる角度に折曲げられる。
【００２５】
この基板収納箱９５は、表示基板保持部９５ａ、受光基板保持部９５ｂに形成された係合片１００、１０１の係合により、発光部品８３の外部よりの視認性及びリモコン受信用受光部品２０４の受光角度を考慮し、かつ外意匠面の曲線に合わせた適切な角度で仮止めが行われ、角度設定が行われた状態のまま容易に室内ユニットに取り付けられる。
【００２６】
実施の形態２.
図４はこの発明による室内ユニットにおける電装部品取付構造の実施の形態を示している。
【００２７】
この実施の形態では、表示基板保持部９５ａと受光基板保持部９５ｂとが個別の箱体により構成され、表示基板保持部９５ａと受光基板保持部９５ｂとがヒンジ部９６により接続される。ヒンジ部９６の接続片９６ａ、９６ｂは各々２枚板状に形成され、接続片９６ａ、９６ｂの各々に係合孔１１６が形成されている。表示基板保持部９５ａと受光基板保持部９５ｂとは各々係合孔１１６が逆止係合するヒンジ固定爪１１７が形成されている。
【００２８】
この実施の形態では、係合孔１１６がヒンジ固定爪１１７に係合することにより、ヒンジ部９６が表示基板保持部９５ａと受光基板保持部９５ｂとに取り付けられ、表示基板保持部９５ａと受光基板保持部９５ｂとが実施の形態１における場合と同様にヒンジ部９６により相互に折曲げ配置可能になる。
【００２９】
これにより室内ユニットの組み付け性が向上すると共に、表示基板保持部９５ａと受光基板保持部９５ｂの組み合わせが自由になる。
【００３０】
実施の形態３.
図５〜図１５はこの発明による室内ユニットにおける電装部品取付構造の実施の形態を示している。図５〜図１５において、９０は電気部品箱を、１０２は電気部品箱９０の蓋を、１０３は電子制御基板を各々示している。電子制御基板１０３には、図８に示されているように、主な部品として、電磁接続器２３５、変圧器２３６、運転スイッチ１０９等が装着され、この電子制御基板１０３は電気部品箱９０と蓋１０２で覆われる。また電気部品箱９０内には端子台１０６が配置され、室内側と室外側の信号と電源をつなぐ内外接続電線１０４が端子台１０６に接続される。
【００３１】
電気部品箱９０には、突起部１０７、蓋取付用係合孔２３０、ねじボス部２３１を設け、蓋１０２には、電線固定突起部１０５、取付爪２３２、ねじ孔２３３を設ける。蓋１０２は取付爪２３２を電気部品箱９０の蓋取付用係合孔２３０に引掛け、ねじ孔２３３を通してねじ２３４をねじボス部２３１にねじ止めすることによって電気部品箱９０は取付けられる。
【００３２】
この状態では電線固定突起部１０５と突起部１０７の隙間は内外接続電線１０４より小さいため、蓋１０２を電気部品箱９０に取付けると、内外接続電線１０４が電線固定突起部１０５と突起部１０７に押さえられて固定され、内外接続電線１０４に引き抜き方向の外力が加わったとしても、内外接続電線１０４と端子台１０６の接続部に力が加わることはない。なお、蓋１０２は樹脂成形品であるため、内外接続電線１０４と導通することはない。
【００３３】
蓋１０２には切欠き部２４１によるブリッジ構造によりばね性を持たせたスイッチボタン１０８が形成されており、このスイッチボタン１０８の裏側に対応する位置において電子制御基板１０３に運転スイッチ１０９を実装する。
【００３４】
この運転スイッチ１０９の同軸上にスイッチボタン１０８があり、スイッチボタン１０８はばね性を備えていて運転スイッチ１０９の動作方向と同方向に上下するため、スイッチボタン１０８を押すことで、運転スイッチ１０９を操作できる。
【００３５】
これにより、従来の室内ユニットで使用していた運転スイッチのカバーを廃止でき、部品点数を削減できる。
【００３６】
この実施の形態では、実施の形態２のものに対して蓋１０２を覆う防炎用の板金カバー２３７を追加しても良い。板金カバー２３７は係合凹部２３８を蓋１０２の係合爪２３９にはめ込むことにより蓋１０２に重ね合わせ式に固定される。また板金カバー２３７にはスイッチボタン１０８を通す孔２４０が形成されている。
【００３７】
この孔２４０を切欠き部２４１より小さくすることにより、板金カバー２３７をもって切欠き部２４１を覆うことができる。これにより、電子制御基板１０３に対する静電気の侵入が阻止され、従来の空気調和機で使用していた静電気対策用の基板のカバーが不要になり、部品点数が削減できる。
【００３８】
端子台１０６は、端子台箱１１０、端子片１１１、２４２、２４３、ばね片１１２で構成されており、内外接続電線１０４を接続孔１１３に挿入すると、ばね片１１２によって内外接続電線１０４が端子片１１１、２４２、２４３に押し付けられて導通する。
【００３９】
端子片１１１、２４２、２４３は端子台箱１１０の外部に突出しており、これを図１４にて符号２４４で示されているように、電子制御基板１０３に直接ハンダ付けする。
【００４０】
これにより、内外接続電線１０４と電子制御基板１０３が配線され、従来の空気調和機で使用していた端子台と電子制御基板を接続するリード線、端子が不要となり、部品点数が削減でき、配線作業も容易になり、また配線スペース、配線作業スペースが削減できる。
【００４１】
また図１５に示されているように、端子台１０６にはねじ孔１１４が、電気部品箱９０にはねじボス部１１５が設けられており、端子台１０６はねじ孔１１４を通されたねじ２４５によって電気部品箱９０のねじボス部１１５にねじ止めされ固定される。
【００４２】
これにより、端子台１０６と電子制御基板１０３とが同時に電気部品箱９０に取付けられ、作業が容易になる。
【００４３】
【発明の効果】
以上の説明から理解されるように、この発明による空気調和装置の室内ユニットでは、室内ユニットのランプ表示部品類や受光部品の保持部が一体成形されるから、部品点数が削減されると共に部品が安価に製作でき、部品のユニット取付が簡略化され、基板部品の保護を容易にし、配線および取り付け作業性の改善ができる効果がある。しかも、部品点数を増やすことなく保持部が密閉形になるから、露垂れ等に対する保護がなされ、内部に取り付けられる基板類の保護を確実に行うことができ、かつ安価に製作できる効果がある。
【００４４】
つぎの発明による空気調和装置の室内ユニットでは、部品点数を増やすことなく保持部が密閉形になるばかりでなく、室内ユニットのランプ表示部品類及びそれと一体にできない表示部品や受光部品のそれぞれの保持部が個別に別体成形され、各保持部がヒンジにより接続されているから、室内ユニットの組み付け性が向上すると共に、各保持部の組み合せが自由になり、多種少量生産に対する対応が容易になり、また配線および取り付け作業性の改善ができる効果がある。
【００４５】
つぎの発明による空気調和装置の室内ユニットでは、電子制御基板に端子台が直付けされ、端子台と前記電子制御基板との配線が外部リード線を必要とすることなく行われるから、部品点数の削減により端子台と電子制御基板の配線を容易にする効果がある。しかも、電子制御基板に取り付けられた端子台が電気部品箱に固定されると同時に、電子制御基板も電気部品箱に固定されるから、２部品の一体化によって管理が容易になり、また電気部品箱への固定を容易にする効果がある。
【００４６】
つぎの発明による空気調和装置の室内ユニットでは、端子台と前記電子制御基板との配線がハンダ付けによって外部リード線を必要とすることなく行われるから、配線スペースを小さくする効果がある。
【図面の簡単な説明】
【図１】  この発明による空気調和装置の室内ユニットの電装部品取付構造の一実施の形態を示す組立分解斜視図である。
【図２】  この発明による空気調和装置の室内ユニットの電装部品取付構造の一実施の形態を示す斜視図である。
【図３】  この発明による空気調和装置の室内ユニットの電装部品取付構造を室内ユニットに組み付けた状態を示す斜視図である。
【図４】  この発明による空気調和装置の室内ユニットの電装部品取付構造の他の実施の形態を示す組立分解斜視図である。
【図５】  この発明による空気調和装置の室内ユニットの電気部品箱の取付部分を示す斜視図である。
【図６】  この発明による空気調和装置の室内ユニットで使用される電気部品箱を示す斜視図である。
【図７】  （ａ）はこの発明による空気調和装置の室内ユニットで使用される電気部品箱を示す分解斜視図、（ｂ）はその要部の拡大斜視図である。
【図８】  この発明による空気調和装置の室内ユニットで使用される電子制御基板を示す斜視図である。
【図９】  （ａ）はこの発明による空気調和装置の室内ユニットで使用される電気部品箱を示す斜視図、（ｂ）はその要部の拡大斜視図である。
【図１０】  （ａ）はこの発明による空気調和装置の室内ユニットで使用される電気部品箱の蓋と防炎カバーを示す斜視図、（ｂ）はその要部の拡大斜視図である。
【図１１】  （ａ）はこの発明による空気調和装置の室内ユニットで使用される端子台を示す斜視図、（ｂ）はその切り欠き斜視図である。
【図１２】  （ａ）〜（ｃ）は各々この発明による室内ユニットの端子台で使用される端子片を示す斜視図である。
【図１３】  この発明による空気調和装置の室内ユニットで使用される端子台の取付状態を示す断面図である。
【図１４】  この発明による空気調和装置の室内ユニットで使用される端子台付きの電子制御基板を電気部品箱に取り付ける状態を示す斜視図である。
【図１５】  この発明による空気調和装置の室内ユニットで使用される端子台付きの電子制御基板を電気部品箱に取り付ける状態を示す斜視図である。
【図１６】  従来の室内ユニットの斜視図である。
【図１７】  従来の室内ユニットの電装部品取付部分を示す切り欠き斜視図である。
【符号の説明】
２  前面ケース、８３  発光部品、８５  表示基板、８７  リモコン受信用受光基板、９０  電気部品箱、９４ａ，９４ｂ  固定爪、９５  基板収納箱、９５ａ  表示基板保持部、９５ｂ  受光基板保持部、９６  ヒンジ部、９６ａ，９６ｂ  接続片、９７，９８  蓋、９９，２１０  蓋固定爪、１００，１０１  係合片、１０２  蓋、１０３  電子制御基板、１０４  内外接続電線、１０５  電線固定突起部、１０６  端子台、１０７  突起部、１０８  スイッチボタン、１０９  運転スイッチ、１１０  端子台箱、１１１，２４２，２４３  端子片、１１２  ばね片、１１３  接続孔、１１４  ねじ孔、１１５  ボス部、１１６  係合孔、１１７  ヒンジ固定爪、２０４  リモコン受信用受光部品、２０５  発信用発光部品、２０７，２０８  ヒンジ部、２０９，２１１  引掛け部、２１２  筒部、２１３  開口部、２１４  筒部、２３０  蓋取付用係合孔、２３１  ボス部、２３２  取付爪、２３３  ねじ孔、２３４  ねじ、２３５  電磁接続器、２３６  変圧器、２３７  板金カバー、２３８  係合凹部、２３９  係合爪、２４０孔、２４１  切欠き部、２４５  ねじ。
【図１】
0003730604.tif 000002
【図２】
0003730604.tif 000003
【図３】
0003730604.tif 000004
【図４】
0003730604.tif 000005
【図５】
0003730604.tif 000006
【図６】
0003730604.tif 000007
【図７】
0003730604.tif 000008
【図８】
0003730604.tif 000009
【図９】
0003730604.tif 000010
【図１０】
0003730604.tif 000011
【図１１】
0003730604.tif 000012
【図１２】
0003730604.tif 000013
【図１３】
0003730604.tif 000014
【図１４】
0003730604.tif 000015
【図１５】
0003730604.tif 000016
【図１６】
0003730604.tif 000017
【図１７】
0003730604.tif 000018